(57)【要約】【課題】  安価で耐久性に優れ、且つ容易にタッチパネルの交換ができる入力装置および電子機器を提供する。【解決手段】  開口部２ａを有する機器ケース１と、この機器ケース１内に配置されて開口部２ａを通してタッチ操作されるタッチパネル５と、このタッチパネル５のタッチ操作に応じた圧力を分散して検出する複数の圧力検出部６と、この複数の圧力検出部６をそれぞれ弾力的に押し上げて支持する付勢支持部材７と、この付勢支持部材７を押し下げてタッチパネル５に対する圧力検出部６の弾接力を解除するための支持解除部材８とを備えている。従って、タッチパネル５のタッチ操作を複数の圧力検出部６で検出できるので、タッチパネル５の構造が簡単で安価に製作でき、耐久性を高めることができる。また、付勢支持部材７を支持解除部材８によって押し下げてタッチパネル５に対する圧力検出部６の弾接力を解除できるので、タッチパネル５を容易に交換できる。【選択図】        図３
2013186690.tif 000002
【特許請求の範囲】
【請求項１】
開口部を有する筐体と、
この筐体内に配置されて前記開口部を通してタッチ操作されるタッチパネルと、
このタッチパネルのタッチ操作に応じた圧力を分散して検出する複数の圧力検出部と、
この複数の圧力検出部をそれぞれ弾力的に押し上げて支持する複数の付勢支持部材と、
この付勢支持部材をそれぞれ押し下げて前記タッチパネルに対する前記圧力検出部の弾接力を解除するための複数の支持解除部材と
を備えていることを特徴とする入力装置。
【請求項２】
請求項１に記載の入力装置において、前記複数の圧力検出部が前記タッチパネルのタッチ操作に応じてそれぞれ検出した圧力データに基づいて、前記タッチパネルがタッチ操作された箇所の座標位置を算出する制御部を備えていることを特徴とする入力装置。
【請求項３】
請求項１または請求項２に記載の入力装置において、前記筐体に対して前記タッチパネルをガイドして前記タッチパネルの面方向の位置を規制する位置規制ガイド部材を備えていることを特徴とする入力装置。
【請求項４】
請求項３に記載の入力装置において、前記位置規制ガイド部材は、前記筐体の側面に設けられて前記タッチパネルが挿通するパネル挿入口から前記筐体内に向けて前記タッチパネルをガイドするパネルガイド部と、前記筐体の前記パネル挿入口から反対側に離れた前記筐体の奥側に位置する前記タッチパネルの奥端部の位置を規制する位置規制部とを備えていることを特徴とする入力装置。
【請求項５】
請求項１〜請求項４のいずれかに記載の入力装置において、前記支持解除部材が前記付勢支持部材を押し下げて前記タッチパネルに対する前記圧力検出部の弾接力を解除した際に、前記支持解除部材を係脱可能に係止するロック部材を備えていることを特徴とする入力装置。
【請求項６】
請求項１〜請求項５のいずれかに記載の入力装置において、前記複数の支持解除部材を一度に押し下げる連動押下げ部材を備えていることを特徴とする入力装置。
【請求項７】
請求項１〜請求項６のいずれかに記載の入力装置において、前記タッチパネルは光透過性を有し、このタッチパネルの下側には電気光学的に情報を表示する表示パネルが配置されていることを特徴とする入力装置。
【請求項８】
請求項１に記載された入力装置を備えていることを特徴とする電子機器。
【発明の詳細な説明】
【技術分野】
【０００１】
この発明は、小型電子式計算機、電子辞書、電子書籍、携帯電話機、携帯情報端末機などの電子機器に用いられる入力装置およびそれを備えた電子機器に関する。
【背景技術】
【０００２】
例えば、電子機器に用いられている入力装置においては、特許文献１に記載されているように、機器ケース内にタッチ電極を有するタッチパネルを配置し、このタッチパネルを機器ケースの開口を通してタッチ操作することにより、そのタッチ操作に応じた情報が入力されるように構成されたものが知られている。
【先行技術文献】
【特許文献】
【０００３】
【特許文献１】特開２０１１−１４５９２１号公報
【０００４】
この種の入力装置は、タッチパネルの交換を可能にするために、機器ケースの側面にパネル挿入口を設けると共に、この機器ケース内にパネルガイド部を設け、機器ケース内にタッチパネルを配置する際に、パネル挿入口からタッチパネルを機器ケース内に挿入してパネルガイドに沿ってスライドさせることにより、タッチパネルを機器ケース内に配置することができるように構成されている。
【０００５】
また、この入力装置は、タッチパネルにパネル側コネクタが設けられ、機器ケース内にケース側コネクタが設けられ、タッチパネルが機器ケース内に挿入されて配置される際に、タッチパネルのパネル側コネクタと機器ケース内のケース側コネクタとが電気的に接続されるように構成されている。
【発明の概要】
【発明が解決しようとする課題】
【０００６】
このような入力装置では、タッチパネルをスライドさせるだけの簡単な操作で、容易にタッチパネルを交換することができても、タッチパネルがタッチ電極を有し、このタッチ電極によってタッチパネルのタッチ操作に応じた情報を出力する構成であるため、タッチパネルの構造が複雑で値段が高くなるばかりか、使用頻度が高いと、タッチパネルのタッチ電極が破損し易く、耐久性に乏しいという問題がある。
【０００７】
この発明が解決しようとする課題は、安価で耐久性に優れ、且つ容易にタッチパネルの交換ができる入力装置および電子機器を提供することである。
【課題を解決するための手段】
【０００８】
この発明は、開口部を有する筐体と、この筐体内に配置されて前記開口部を通してタッチ操作されるタッチパネルと、このタッチパネルのタッチ操作に応じた圧力を分散して検出する複数の圧力検出部と、この複数の圧力検出部をそれぞれ弾力的に押し上げて支持する複数の付勢支持部材と、この付勢支持部材をそれぞれ押し下げて前記タッチパネルに対する前記圧力検出部の弾接力を解除するための複数の支持解除部材とを備えていることを特徴とする入力装置である。
【発明の効果】
【０００９】
この発明によれば、タッチパネルのタッチ操作を複数の圧力検出部で検出することができるので、タッチパネルの構造が簡単で安価に製作できると共に、タッチパネルの耐久性を高めることができる。また、複数の圧力検出部をそれぞれ弾力的に押し上げて支持するための付勢支持部材を支持解除部材によって押し下げてタッチパネルに対する各圧力検出部の弾接力を解除することができるので、タッチパネルを簡単にスライドさせることができ、これによりタッチパネルを容易に交換することができる。
【図面の簡単な説明】
【００１０】
【図１】この発明を適用した電子機器の第１実施形態を示した斜視図である。
【図２】図１に示された電子機器の側面および背面を示し、（ａ）はその電子機器の側面図、（ｂ）はその電子機器の背面図である。
【図３】図１に示された電子機器のＡ−Ａ矢視における拡大断面図である。
【図４】図１に示された電子機器の上部ケースと下部ケースとを示し、（ａ）は上部ケースの内面を示した下面図、（ｂ）は下部ケースの内面を示した平面図である。
【図５】図３に示された電子機器の機器ケース内に設けられた圧力検出部、付勢支持部材、および支持解除部材を示し、（ａ）は付勢支持部材によって圧力検出部がタッチパネルを弾力的に押し上げる状態を示した図、（ｂ）は支持解除部材によって付勢支持部材を押し下げてタッチパネルに対する圧力検出部の弾接力を解除した状態を示した図である。
【図６】図１に示された電子機器の回路構成を示したブロック図である。
【図７】図６に示された回路構成における制御部のＣＰＵによるタッチパネルのタッチ操作による制御処理の動作フローを示した図である。
【図８】この発明を適用した電子機器の第２実施形態を示した拡大断面図である。
【発明を実施するための形態】
【００１１】
（第１実施形態）
以下、図１〜図７を参照して、この発明を電子機器に適用した第１実施形態について説明する。
この電子機器は、図１および図２に示すように、機器ケース１を備えている。この機器ケース１は、上部ケース２と下部ケース３とを備えている。この機器ケース１内には、図３に示すように、入力表示装置４が配置されている。
【００１２】
この場合、上部ケース２の上面には、図１、図３に示すように、入力表示装置４に対する入力表示用の開口部２ａが設けられている。また、この上部ケース２の側面には、図２（ａ）および図２（ｂ）に示すように、入力表示装置４の後述するタッチパネル５が挿入するパネル挿入口２ｂが設けられている。
【００１３】
入力表示装置４は、図３に示すように、タッチ操作されるタッチパネル５と、このタッチパネル５のタッチ操作に応じた圧力を分散して検出する複数の圧力検出部６と、この複数の圧力検出部６をそれぞれ弾力的に押し上げて支持する付勢支持部材７と、この付勢支持部材７を押し下げてタッチパネル５に対する圧力検出部６の弾接力を解除するための支持解除部材８と、電気光学的に情報を表示する表示パネル９と、この表示パネル９が配置される回路基板１０とを備えている。
【００１４】
タッチパネル５は、アクリル樹脂やガラスなどの透明または半透明の光透過性を有する材料からなり、図１〜図３に示すように、四角形の平板状に形成されている。このタッチパネル５は、上部ケース２の開口部２ａに対応した状態で、上部ケース２内に配置されている。また、このタッチパネル５は、図３に示すように、複数の圧力検出部６を介して複数の付勢支持部材７によって機器ケース１内に支持されている。
【００１５】
複数の圧力検出部６は、図３および図４に示すように、タッチパネル５の下面における四隅に対応した状態で、付勢支持部材７によって機器ケース１内に支持されている。これにより、複数の圧力検出部６は、タッチパネル５がタッチ操作された際に、そのタッチ操作に応じたタッチパネル５の四隅の圧力をそれぞれ検出するように構成されている。
【００１６】
複数の付勢支持部材７は、図３および図５に示すように、コイルばねなどのばね部材７ａと、下部ケース３内の底部にそれぞれ固定されてばね部材７ａを起立させた状態で支持する固定板７ｂと、ばね部材７ａの上端部に設けられて圧力検出部６を搭載する搭載板７ｃとを備えている。これにより、複数の付勢支持部材７は、その各ばね部材７ａのばね力によって各圧力検出部６をそれぞれ弾力的に押し上げて支持するように構成されている。
【００１７】
また、この複数の付勢支持部材７は、図３および図５に示すように、支持解除部材８によって押し下げられることにより、タッチパネル５に対する圧力検出部６の弾接力が解除されるように構成されている。すなわち、支持解除部材８は、下部ケース３の底部に設けられた貫通孔１１ａおよび付勢支持部材７の固定板７ｂに設けられた貫通孔１１ｂに挿入する解除軸８ａを有し、この解除軸８ａの下端部に操作釦８ｂが設けられた構成になっている。なお、操作釦８ｂは、下部ケース３に接するように設けられていても良く、下部ケース３に接することで、余計な負荷が圧力検出部６にかからなくなる。
【００１８】
この場合、解除軸８ａは、図５（ａ）および図５（ｂ）に示すように、その上端部が付勢支持部材７の搭載板７ｃに取り付けられ、下端部が下部ケース３の下側に突出し、この状態で上下方向に移動するように構成されている。すなわち、この解除軸８ａは、付勢支持部材７のばね部材７ａのばね力によって搭載板７ｃが押し上げられると、この搭載板７ｃと共に上方に移動するように構成されている。
【００１９】
また、この解除軸８ａは、図５（ｂ）に示すように、操作釦８ｂがばね部材７ａのばね力に抗して押し下げられると、搭載板７ｃを圧力検出部６と共に引き下げて、ばね部材７ａを圧縮させるように構成されている。これにより、支持解除部材８は、操作釦８ｂを押し下げて解除軸８ａを下側に移動させ、搭載板７ｃを圧力検出部６と共に引き下げることにより、圧力検出部６によって支持されたタッチパネル５をスライド可能な状態にするように構成されている。
【００２０】
ところで、タッチパネル５は、図３および図４に示すように、位置規制ガイド部材１２によってガイドされて上部ケース２に対するタッチパネル５の面方向の位置が規制されるように構成されている。すなわち、この位置規制ガイド部材１２は、図４（ａ）に示すように、機器ケース１内の奥側に位置するタッチパネル５の奥端部５ａの位置を規制する位置規制部１３と、上部ケース２のパネル挿入口２ｂ側に配置されてタッチパネル５をガイドするパネルガイド部１４とを備えている。
【００２１】
この位置規制ガイド部材１２の位置規制部１３は、図４（ａ）に示すように、Ｌ字形状に形成され、上部ケース２の下面における奥部（図４（ａ）では下辺部）の両側、つまり上部ケース２のパネル挿入口２ｂから反対側に離れた箇所の両側に設けられている。これにより、位置規制部１３は、タッチパネル５が上部ケース２のパネル挿入口２ｂから機器ケース１内に挿入された際に、そのタッチパネル５の奥端部５ａが当接することにより、タッチパネル５の奥端部５ａにおける面方向の位置を規制するように構成されている。
【００２２】
また、パネルガイド部１４は、図４（ａ）に示すように、パネル挿入口２ｂの両側に設けられた支持軸１４ａと、この支持軸１４ａに回転可能に取り付けられたガイド板１４ｂとを備えている。この場合、ガイド板１４ｂは、長方形状の長板を「く」字状に折り曲げ、この折り曲げた箇所が支持軸１４ａに回転可能に取り付けられ、この状態で内端部が機器ケース１内に位置し、外端部がパネル挿入口２ｂから出没するように構成されている。
【００２３】
これにより、パネルガイド部１４は、図４（ａ）に示すように、機器ケース１内にタッチパネル５を挿入する際に、ガイド板１４ｂの外端部が互いに離れて開く方向に向けてパネル挿入口２ｂから突出することにより、タッチパネル５の挿入側の端部をガイドしてタッチパネル５をパネル挿入口２ｂから機器ケース１内に導き、この導かれたタッチパネル５の両側部をガイド板１４ｂの内端部でガイドするように構成されている。
【００２４】
また、このパネルガイド部１４は、タッチパネル５が機器ケース１内に挿入されて位置規制ガイド部材１２によって位置規制された状態で、複数の付勢支持部材７による各圧力検出部６によって弾力的に押し上げられて支持された際に、ガイド板１４ｂが支持軸１４ａを中心に回転し、ガイド板１４ｂの外端部がパネル挿入口２ｂ内に配置されて、タッチパネル５の外側に位置する外端部５ｂに当接するように構成されている。
【００２５】
一方、この入力表示装置４の表示パネル９は、図３に示すように、機器ケース１の底部に設けられた回路基板１０上に配置されてタッチパネル５に対応し、この状態で回路基板１０と電気的に接続されるように構成されている。この表示パネル９は、液晶表示素子や有機ＥＬ（エレクトロ・ルミネッセンス）表示素子などの平面型の表示素子からなり、電気光学的に情報を表示するように構成されている。
【００２６】
これにより、この入力表示装置４は、表示パネル９に表示された情報がタッチパネル５を通して機器ケース１の外部上方から見えるように構成されている。また、回路基板１０は、表示パネル９が電気的に接続されていると共に、複数の圧力検出部６がそれぞれ電気的に接続されているほか、電子機器に必要な各種の電子部品（図示せず）が搭載されている。
【００２７】
次に、図６のブロック図を参照して、この電子機器の回路構成について説明する。
この電子機器は、ＣＰＵ（中央演算処理装置）などを内蔵して入力表示装置４の全体的な統括制御を行う制御部２０と、この制御部２０のＣＰＵにより実行される種々のプログラムや初期設定データなどを格納し、且つ制御部２０のＣＰＵに作業用のメモリ空間を提供する記憶部２１とを備えている。
【００２８】
また、この電子機器は、タッチパネル５のタッチ操作に応じた圧力を複数の圧力検出部６で分散して検出して検出信号を圧力データとして制御部２０に入力する圧力検出ユニット２２と、制御部２０からの制御信号に基づいて情報を表示する表示パネル９とを備えている。制御部２０は、圧力検出ユニット２２から与えられた複数の圧力検出部６の各検出信号に基づいてタッチパネル５がタッチ操作された箇所の座標位置を算出する制御処理を行うように構成されている。
【００２９】
次に、この電子機器におけるタッチパネル５のタッチ操作による制御処理について、図８に示す動作フローを参照して説明する。この場合、図８は制御部２０のＣＰＵにより実行される制御処理の手順を示す図である。
この制御処理は、タッチパネル５がタッチ操作されるとスタートし、ステップＳ１でタッチパネル５のタッチ操作に応じて圧力検出ユニット２２の複数の圧力検出部６がそれぞれ圧力を検出し、その検出信号を圧力データとして制御部２０に入力する。
【００３０】
すなわち、ステップＳ１では、タッチパネル５がタッチ操作されると、タッチパネル５のタッチ位置に応じて圧力検出ユニット２２の複数の圧力検出部６にそれぞれ圧力が加わる。例えば、タッチパネル５の中心部がタッチ操作されると、複数の圧力検出部６に均一な圧力が加わり、複数の圧力検出部６の各圧力に差が生じない。
【００３１】
また、タッチパネル５の中心部からずれた位置がタッチ操作されると、複数の圧力検出部６に異なる圧力が加わり、複数の圧力検出部６の各圧力に差が生じる。これにより、複数の圧力検出部６がそれぞれ検出した各検出信号を圧力データとして制御部２０に入力する。
【００３２】
この圧力検出ユニット２２の複数の圧力検出部６からの各検出信号が制御部２０に与えられると、ステップＳ２に進み、このステップＳ２で複数の圧力検出部６からの検出信号である圧力データに基づいて制御部２０が演算処理を行い、タッチパネル５のタッチ位置の座標を算出する。このときには、複数の圧力検出部６の各圧力差によってタッチパネル５のタッチ位置の座標を算出する。
【００３３】
例えば、複数の圧力検出部６の各圧力が同じで圧力差がないときには、タッチパネル５のタッチ位置の座標がタッチパネル５の中心部であると特定する。また、複数の圧力検出部６の各圧力差があるときには、その各圧力検出部６の各圧力差に応じてタッチパネル５のタッチ位置の座標を算出してタッチ位置の座標を特定する。
【００３４】
このステップＳ２で、タッチパネル５のタッチ位置の座標が特定されると、ステップＳ３に進み、このステップＳ３で特定されたタッチパネル５の座標に応じた情報を表示パネル９に表示する。すなわち、表示パネル９に表示された情報がタッチパネル５を通して機器ケース１の上方から見えることにより、この表示パネル９に表示された情報のうち、タッチパネル５でタッチ操作された箇所の情報が指定され、この指定された箇所に応じた情報が選択されて表示パネル９に表示される。
【００３５】
次に、この電子機器における入力表示装置４において、タッチパネル５を交換する場合について説明する。
この場合には、まず、機器ケース１の下側に突出している複数の支持解除部材８の各操作釦８ｂを複数の付勢支持部材７の各ばね部材７ａのばね力に抗してそれぞれ押し下げる。すると、支持解除部材８の解除軸８ａが付勢支持部材７の搭載板７ｃを引き下げてばね部材７ａを圧縮させる。
【００３６】
これにより、付勢支持部材７の搭載板７ｃ上に設けられた圧力検出部６が引き下げられ、タッチパネル５に対する圧力検出部６の弾力的な押上げが解除され、タッチパネル５がスライド可能な状態になる。この状態で、上部ケース２の開口部２ａを通して手や指によってタッチパネル５を上部ケース２のパネル挿入口２ｂ側に向けてスライドさせる。
【００３７】
すると、パネル挿入口２ｂの両側に設けられた位置規制ガイド部材１２における各パネルガイド部１４の各ガイド板１４ｂがタッチパネル５のスライド動作によって押されるので、各ガイド板１４ｂが支持軸１４ａを中心に回転して開くと共に、タッチパネル５がパネル挿入口２ｂを通して機器ケース１の外部に突出する。これにより、タッチパネル５を機器ケース１内から取り出すことができる。
【００３８】
また、タッチパネル５を機器ケース１内に挿入させて配置する場合には、まず、複数の支持解除部材８の各操作釦８ｂをそれぞれ押し下げて、付勢支持部材７の搭載板７ｃ上に設けられた圧力検出部６を引き下げる。この状態で、タッチパネル５を上部ケース２のパネル挿入口２ｂから挿入する。
【００３９】
このときには、位置規制ガイド部材１２の各パネルガイド部１４における各ガイド板１４ｂの外端部が互いに離れて開く方向に向けてパネル挿入口２ｂから突出しているので、この突出した各ガイド板１４ｂの外端部によってタッチパネル５の挿入側の端部がガイドされて、タッチパネル５がパネル挿入口２ｂから機器ケース１内に導きられると共に、この導かれたタッチパネル５の両側部がガイド板１４ｂの内端部でガイドされる。
【００４０】
このように、タッチパネル５が各パネルガイド部１４によってガイドされながら機器ケース１内に挿入されると、タッチパネル５の奥端部５ａが位置規制ガイド部材１２の各位置規制部１３によって位置規制されて機器ケース１内に配置される。この状態で、複数の支持解除部材８における各操作釦８ｂの押し下げをそれぞれ解除すると、複数の付勢支持部材７の各ばね部材７ａのばね力によって各搭載板７ｃが押し上げられる。
【００４１】
これにより、複数の圧力検出部６がタッチパネル５の四隅を弾力的に押し上げて支持する。この状態では、タッチパネル５が位置規制ガイド部材１２によって機器ケース１内に位置規制されて複数の付勢支持部材７によって各圧力検出部６を介して弾力的に支持されていることにより、タッチパネル５のタッチ操作によるタッチ位置を正確に且つ良好に検出することが可能になる。
【００４２】
このように、この電子機器の入力表示装置４によれば、開口部２ａを有する機器ケース１と、この機器ケース１内に配置されて開口部２ａを通してタッチ操作されるタッチパネル５と、このタッチパネル５のタッチ操作に応じた圧力を分散して検出する複数の圧力検出部６と、この複数の圧力検出部６をそれぞれ弾力的に押し上げて支持する付勢支持部材７と、この付勢支持部材７を押し下げてタッチパネル５に対する圧力検出部６の弾接力を解除するための支持解除部材８とを備えているので、安価で耐久性に優れ、且つ容易にタッチパネル５の交換ができる。
【００４３】
すなわち、この入力表示装置４では、タッチパネル５のタッチ操作を複数の圧力検出部６で検出することができるので、タッチパネル５の構造が簡単で、タッチパネル５を安価に製作できると共に、タッチパネル５の耐久性を高めることができる。また、複数の圧力検出部６をそれぞれ弾力的に押し上げて支持する付勢支持部材７を支持解除部材８によって押し下げてタッチパネル５に対する圧力検出部６の弾接力を解除することができるので、タッチパネル５を簡単にスライドさせることができ、これによりタッチパネル５を容易に交換することができる。
【００４４】
この場合、複数の圧力検出部６がタッチパネル５のタッチ操作に応じてそれぞれ検出した圧力データに基づいて、タッチパネル５がタッチ操作された箇所の座標位置を算出する制御部２０を備えていることにより、タッチパネル５にタッチ電極が設けられていなくても、複数の圧力検出部６が検出した圧力データに基づいて、タッチパネル５のタッチ位置の座標を正確に且つ確実に算出することができる。このため、タッチパネル５の構造が簡単になり、タッチパネル５を安価に製作できると共に、タッチパネル５の耐久性を高めることができる。
【００４５】
また、この入力表示装置４では、機器ケース１に対してタッチパネル５をガイドしてタッチパネル５の面方向の位置を規制する位置規制ガイド部材１２を備えていることにより、タッチパネル５を交換する際に、位置規制ガイド部材１２によってタッチパネル５を良好にガイドして機器ケース１内に正確に且つ確実に位置規制して配置することができる。
【００４６】
この場合、位置規制ガイド部材１２は、機器ケース１の側面に設けられてタッチパネル５が挿通するパネル挿入口２ｂから機器ケース１内にタッチパネル５をガイドするパネルガイド部１４と、機器ケース１のパネル挿入口２ｂから反対側に離れた機器ケース１の奥側に位置するタッチパネル５の奥端部の位置を規制する位置規制部１３とを備えていることにより、機器ケース１内にタッチパネル５を挿入する際に、タッチパネル５をパネルガイド部１４でガイドして位置規制部１３によって正確な位置に配置することができる。
【００４７】
すなわち、パネルガイド部１４は、パネル挿入口２ｂの両側に配置された支持軸１４ａと、この支持軸１４ａに回転可能に取り付けられたガイド板１４ｂとを備え、このガイド板１４ｂの内端部が機器ケース１内に位置し、外端部がパネル挿入口２ｂから出没する構成であるから、タッチパネル５を機器ケース１内に挿入する際に、ガイド板１４ｂの外端部によってタッチパネル５の挿入側の端部をガイドして、タッチパネル５をパネル挿入口２ｂに良好に導くことができると共に、タッチパネル５の両側部をガイド板１４ｂの内端部でガイドできるので、タッチパネル５を機器ケース１内に良好に導いて配置することができる。
【００４８】
さらに、この入力表示装置４では、タッチパネル５が光透過性を有し、このタッチパネル５の下側に情報を電気光学的に表示する表示パネル９を配置した構成であるから、光透過性を有するタッチパネル５を通して表示パネル９に表示された情報を見ることができ、この表示パネル９に表示された情報を見ながらタッチパネル５をタッチ操作することができるので、良好に入力操作をすることができる。
【００４９】
（第２実施形態）
次に、図８を参照して、この発明を適用した電子機器の第２実施形態について説明する。なお、図１〜図７に示された第１実施形態と同一部分には同一符号を付して説明する。
この電子機器の入力表示装置４は、図８に示すように、支持解除部材８をロックするためのロック部材２５を備えた構成であり、これ以外は第１実施形態とほぼ同じ構成になっている。
【００５０】
すなわち、このロック部材２５は、図８に示すように、支持解除部材８の解除軸８ａの下端部に設けられた操作レバー２５ａの先端部が上下方向に移動可能に挿入するガイド孔２６ａを有するガイド板２６と、操作レバー２５ａの先端部を係脱可能に係止する係止レバー２７とを備えている。
【００５１】
この場合、係止レバー２７は、図８に示すように、ガイド板２６に設けられた支持アーム２８に回転可能に取り付けられ、一端部（図８では上端部）がばね部２９によって付勢され、他端部（図８では上端部）にフック部２７ａが設けられ、このフック部２７ａがガイド板２６のガイド孔２６ａに挿入された操作レバー２５ａの先端部を係脱可能に係止するように構成されている。
【００５２】
これにより、ロック部材２５は、支持解除部材８の操作レバー２５ａが押し下げられた際に、その操作レバー２５ａの先端部を係止レバー２７のフック部２７ａが係止することにより、搭載板７ｃに搭載された圧力検出部６が引き下げられた状態を維持して、タッチパネル５の交換可能な状態を維持するように構成されている。
【００５３】
次に、このような電子機器の入力表示装置４において、タッチパネル５を交換する場合について説明する。
この場合には、第１実施形態と同様、まず、機器ケース１の下側に突出している複数の支持解除部材８の各操作レバー２５ａを複数の付勢支持部材７の各ばね部材７ａのばね力に抗してそれぞれ押し下げる。
【００５４】
このときには、操作レバー２５ａの先端部がロック部材２５のガイド板２６のガイド孔２６ａに沿って下側に移動し、この下側に移動した操作レバー２５ａの先端部がロック部材２５のばね部２９のばね力に抗して係止レバー２７のフック部２７ａを乗り越えてフック部２７ａの下側に係止される。これにより、支持解除部材８の操作レバー２５ａがロック部材２５の係止レバー２７によってロックされる。
【００５５】
この状態では、支持解除部材８の解除軸８ａが付勢支持部材７の搭載板７ｃを引き下げてばね部材７ａを圧縮させ、搭載板７ｃ上に設けられた圧力検出部６を引き下げて、タッチパネル５に対する圧力検出部６の弾力的な押上げが解除された状態を維持する。この状態で、上部ケース２の開口部２ａを通して手や指によってタッチパネル５を上部ケース２のパネル挿入口２ｂ側に向けてスライドさせることにより、第１実施形態と同様、タッチパネル５を機器ケース１内から取り出すことができる。
【００５６】
また、機器ケース１内から取り出したタッチパネル５に代えて新たなタッチパネル５を上部ケース２のパネル挿入口２ｂから機器ケース１内に挿入すると、この挿入されたタッチパネル５が位置規制ガイド部材１２によって機器ケース１内に位置規制されて配置される。このようにタッチパネル５が機器ケース１内に配置された際には、支持解除部材８の操作レバー２５ａに対するロック部材２５の係止レバー２７によるロックを解除する。
【００５７】
このときには、ロック部材２５のばね部２９のばね力に抗して係止レバー２７を回転させて、係止レバー２７のフック部２７ａを支持解除部材８の操作レバー２５ａから離す。すると、複数の付勢支持部材７の各ばね部材７ａのばね力によって各搭載板７ｃが押し上げられ、これにより各圧力検出部６がタッチパネル５を弾力的に押し上げて支持する。
【００５８】
この状態では、第１実施形態と同様、タッチパネル５が位置規制ガイド部材１２によって機器ケース１内に位置規制されて複数の付勢支持部材７によって各圧力検出部６を介して弾力的に支持されていることにより、タッチパネル５のタッチ操作によるタッチ位置を正確に且つ良好に検出することが可能になる。
【００５９】
このように、この電子機器の入力表示部４によれば、第１実施形態と同様の作用効果があるほか、支持解除部材８が付勢支持部材７を押し下げてタッチパネル５に対する圧力検出部６の弾接力を解除した際に、支持解除部材８を係脱可能に係止するロック部材２５を備えていることにより、タッチパネル５を交換する際に、支持解除部材８が付勢支持部材７を押し下げて、タッチパネル５に対する圧力検出部６の弾接力が解除された状態をロック部材２５によって維持することができるので、タッチパネル５の交換作業が容易にでき、第１実施形態よりも良好にタッチパネル５を交換することができる。
【００６０】
なお、上述した第２実施形態では、ロック部材２５を備えたことにより、支持解除部材８を係止したが、これに限らず、支持解除部材８にフック部を備えることにより、支持解除部材８が付勢支持部材７を押下げて、タッチパネル５に対する圧力検出部６の弾接力が解除された状態で維持するように構成しても良い。
【００６１】
また、上述した第１、第２の各実施形態では、タッチパネル５を交換する際に、複数の支持解除部材８の各操作釦８ｂまたは各操作レバー２５ａをそれぞれ個別に押し下げるように構成した場合について述べたが、これに限らず、複数の支持解除部材８の各操作釦８ｂまたは各操作レバー２５ａを一度に押し下げる連動押下げ部材を備えた構成であっても良い。このように構成すれば、より一層、タッチパネル５を簡単に且つ容易に交換することができる。
【００６２】
また、上述した第１、第２の各実施形態では、タッチパネル５の下側に表示パネル９を配置した入力表示装置４に適用した場合について述べたが、必ずしも表示パネル９を配置する必要はなく、タッチパネル５を複数の圧力検出部６で支持した構成の入力装置であっても良い。この場合には、タッチパネル５は必ずしも光透過性を有する必要はなく、不透明に形成されていても良い。
【００６３】
さらに、上述した第１、第２の各実施形態では、入力表示装置４を備えた電子機器に適用した場合について述べたが、これに限らず、他の機能を備えた電子機器、例えば小型電子式計算機、電子辞書、電子書籍、携帯電話機、携帯情報端末機などの電子機器に広く適用することができる。
【００６４】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００６５】
（付記）
請求項１に記載の発明は、開口部を有する筐体と、この筐体内に配置されて前記開口部を通してタッチ操作されるタッチパネルと、このタッチパネルのタッチ操作に応じた圧力を分散して検出する複数の圧力検出部と、この複数の圧力検出部をそれぞれ弾力的に押し上げて支持する複数の付勢支持部材と、この付勢支持部材をそれぞれ押し下げて前記タッチパネルに対する前記圧力検出部の弾接力を解除するための複数の支持解除部材とを備えていることを特徴とする入力装置である。
【００６６】
請求項２に記載の発明は、請求項１に記載の入力装置において、前記複数の圧力検出部が前記タッチパネルのタッチ操作に応じてそれぞれ検出した圧力データに基づいて、前記タッチパネルがタッチ操作された箇所の座標位置を算出する制御部を備えていることを特徴とする入力装置である。
【００６７】
請求項３に記載の発明は、請求項１または請求項２に記載の入力装置において、前記筐体に対して前記タッチパネルをガイドして前記タッチパネルの面方向の位置を規制する位置規制ガイド部材を備えていることを特徴とする入力装置である。
【００６８】
請求項４に記載の発明は、請求項３に記載の入力装置において、前記位置規制ガイド部材は、前記筐体の側面に設けられて前記タッチパネルが挿通するパネル挿入口から前記筐体内に向けて前記タッチパネルをガイドするパネルガイド部と、前記筐体の前記パネル挿入口から反対側に離れた前記筐体の奥側に位置する前記タッチパネルの奥端部の位置を規制する位置規制部とを備えていることを特徴とする入力装置である。
【００６９】
請求項５に記載の発明は、請求項１〜請求項４のいずれかに記載の入力装置において、前記支持解除部材が前記付勢支持部材を押し下げて前記タッチパネルに対する前記圧力検出部の弾接力を解除した際に、前記支持解除部材を係脱可能に係止するロック部材を備えていることを特徴とする入力装置である。
【００７０】
請求項６に記載の発明は、  請求項１〜請求項５のいずれかに記載の入力装置において、前記複数の支持解除部材を一度に押し下げる連動押下げ部材を備えていることを特徴とする入力装置である。
【００７１】
請求項７に記載の発明は、請求項１〜請求項６のいずれかに記載の入力装置において、前記タッチパネルは光透過性を有し、このタッチパネルの下側には電気光学的に情報を表示する表示パネルが配置されていることを特徴とする入力装置である。
【００７２】
請求項８に記載の発明は、請求項１に記載された入力装置を備えていることを特徴とする電子機器である。
【符号の説明】
【００７３】
１  機器ケース
２  上部ケース
２ａ  開口部
２ｂ  パネル挿入口
３  下部ケース
４  入力表示装置
５  タッチパネル
５ａ  奥端部
５ｂ  外端部
６  複数の圧力検出部
７  付勢支持部材
７ａ  ばね部材
７ｂ  固定板
７ｃ  搭載板
８  支持解除部材
８ａ  解除軸
８ｂ  操作釦
９  表示パネル
１０  回路基板
１２  位置規制ガイド部材
１３  位置規制部
１４  パネルガイド部
１４ａ  支持軸
１４ｂ  ガイド板
２０  制御部
２１  記憶部
２２  圧力検出ユニット
２５  ロック部材
２５ａ  操作レバー
２７  係止レバー
２７ａ  フック部
【図１】
2013186690.tif 000003
【図２】
2013186690.tif 000004
【図３】
2013186690.tif 000005
【図４】
2013186690.tif 000006
【図５】
2013186690.tif 000007
【図６】
2013186690.tif 000008
【図７】
2013186690.tif 000009
【図８】
2013186690.tif 000010